【手続補正書】
【提出日】平成18年11月16日(2006.11.16)
【手続補正１】
【補正対象書類名】特許請求の範囲
【補正対象項目名】全文
【補正方法】変更
【補正の内容】
【特許請求の範囲】
【請求項１】
複数の第１のディスクドライブの第１の部分が第１の論理ボリュームと対応付けられ、前記複数の第１のディスクドライブの第２の部分が第２の論理ボリュームと対応付けられ、第１の情報処理装置と接続され、第１のコントローラ及び前記複数の第１のディスクドライブを有する第１の記憶装置と、
複数の第２のディスクドライブの第３の部分が第３の論理ボリュームと対応付けられ、前記複数の第２のディスクドライブの第４の部分が第４の論理ボリュームと対応付けられ、前記第１の記憶装置と接続され、第２のコントローラ及び前記複数の第２のディスクドライブを有する第２の記憶装置と、
を備える記憶システムであって、
前記記憶システムは、
前記第１の論理ボリュームが、前記第１の情報処理装置から送信されたデータを記憶する主論理ボリュームとして機能し、
前記第２の論理ボリュームが、前記主論理ボリュームに記憶されている更新されたデータに対応し、前記第２の記憶装置に転送されるデータを記憶する転送論理ボリュームとして機能し、
前記第３の論理ボリュームが、副論理ボリュームの少なくとも１つのデータに対応するデータを記憶するデータ記憶論理ボリュームとして機能し、
前記第４の論理ボリュームが、前記主論理ボリュームとペア関係を形成し、前記主論理ボリュームに以前に記憶されたデータに対応するデータを記憶する前記副論理ボリュームとして機能する、
第１の状態に従って第１の非同期リモートコピー処理を実行し、
前記記憶システムは、
前記第４の論理ボリュームが、前記主論理ボリュームとして機能し、
前記第３の論理ボリュームが、前記第１の記憶装置に転送されるデータを記憶する前記転送論理ボリュームとして機能し、
前記第２の論理ボリュームが、前記データ記憶論理ボリュームとして機能し、
前記第１の論理ボリュームが、前記副論理ボリュームとして機能する、
第２の状態に従って第２の非同期リモートコピー処理を実行し、
前記記憶システムは、
１つ以上のコマンドに基づいて前記第１の状態から前記第２の状態に変更されること、
を特徴とする記憶システム。
【請求項２】
請求項１に記載の記憶システムであって、
前記第１のコントローラは、
前記記憶システムの前記第１の状態の間、少なくとも１つのポインタを用いて、前記第２の論理ボリュームから前記第２の記憶装置に転送されるデータを記憶する、前記第２の論理ボリュームの複数の領域を管理すること、
を特徴とする記憶システム。
【請求項３】
請求項１に記載の記憶システムであって、
前記第２のコントローラは、
前記記憶システムの前記第１の状態の間、前記第３の論理ボリュームの複数の領域を管理すること、
を特徴とする記憶システム。
【請求項４】
請求項１に記載の記憶システムであって、
前記第１のコントローラは、
前記記憶システムの前記第１の状態の間、前記第２の論理ボリュームから前記第２の記憶装置に転送されるデータを記憶する、前記第２の論理ボリュームの複数の領域を管理し、
前記第２の論理ボリュームの前記複数の領域は、前記第１の情報処理装置から送信された前記データが前記第１のコントローラにより記憶される、複数の領域を含んで構成されること、
を特徴とする記憶システム。
【請求項５】
請求項１に記載の記憶システムであって、
前記第２のコントローラは、
前記記憶システムの前記第１の状態の間、前記副論理ボリュームの前記少なくとも１つのデータに対応する前記データを記憶する、前記第３の論理ボリュームの複数の領域を管理すること、
を特徴とする記憶システム。
【請求項６】
請求項１に記載の記憶システムであって、
前記第２の論理ボリュームに記憶されている前記データには、前記第１の論理ボリュームに以前に記憶された前記データが前記第４の論理ボリュームに記憶される際の一貫性を保つために用いられる更新情報が追加されていること、
を特徴とする記憶システム。
【請求項７】
請求項１に記載の記憶システムであって、
前記第２の論理ボリュームが、ジャーナルデータが記憶されるジャーナルボリュームとして機能すること、
を特徴とする記憶システム。
【請求項８】
請求項１に記載の記憶システムであって、
前記１つ以上のコマンドは、前記第２の記憶装置に対して送られること、
を特徴とする記憶システム。
【請求項９】
請求項１に記載の記憶システムであって、
前記第１の非同期コピー処理の間、前記転送論理ボリュームは、前記主論理ボリュームに記憶されている更新された各データに対応するデータを繰り返し記憶し、前記転送論理ボリュームに記憶されている１つ以上のデータは、前記第２の記憶装置に繰り返し転送されること、
を特徴とする記憶システム。
【請求項１０】
複数の第１のディスクドライブの第１の部分が第１の論理ボリュームと対応付けられ、前記複数の第１のディスクドライブの第２の部分が第２の論理ボリュームと対応付けられ、第１の情報処理装置と接続され、第１のコントローラ及び前記複数の第１のディスクドライブを有する第１の記憶装置と、
複数の第２のディスクドライブの第３の部分が第３の論理ボリュームと対応付けられ、前記複数の第２のディスクドライブの第４の部分が第４の論理ボリュームと対応付けられ、第２の情報処理装置及び前記第１の記憶装置と接続され、第２のコントローラ及び前記複数の第２のディスクドライブを有する第２の記憶装置と、
を備える記憶システムであって、
前記記憶システムは、
前記第１の論理ボリュームが、前記第１の情報処理装置から送信されたデータを記憶する主論理ボリュームとして機能し、
前記第２の論理ボリュームが、前記主論理ボリュームに記憶されている更新されたデータに対応し、前記第２の記憶装置に転送されるデータを記憶する転送論理ボリュームとして機能し、
前記第３の論理ボリュームが、副論理ボリュームの少なくとも１つのデータに対応するデータを記憶するデータ記憶論理ボリュームとして機能し、
前記第４の論理ボリュームが、前記主論理ボリュームとペア関係を形成し、前記主論理ボリュームに以前に記憶されたデータに対応するデータを記憶する前記副論理ボリュームとして機能する、
第１の状態に従って第１の非同期リモートコピー処理を実行し、
前記記憶システムは、
前記第４の論理ボリュームが、前記第２の情報処理装置から送信されたデータを記憶する、前記主論理ボリュームに対する代用として機能し、
前記第３の論理ボリュームが、前記第１の記憶装置に転送されるデータを記憶する、前記転送論理ボリュームに対する代用として機能し、
前記第２の論理ボリュームが、前記データ記憶論理ボリュームとして機能し、
前記第１の論理ボリュームが、前記副論理ボリュームとして機能する、
第２の状態に従って第２の非同期リモートコピー処理を実行し、
前記記憶システムは、
前記第１の情報処理装置に障害が発生し、かつ／または、前記第１及び第２の記憶装置の少なくとも一方が少なくとも１つのコマンドを受信すると、前記第１の状態から前記第２の状態に変更されること、
を特徴とする記憶システム。
【請求項１１】
請求項１０に記載の記憶システムであって、
前記第１のコントローラは、
前記記憶システムの前記第１の状態の間、少なくとも１つのポインタを用いて、前記第２の論理ボリュームから前記第２の記憶装置に転送されるデータを記憶する、前記第２の論理ボリュームの複数の領域を管理すること、
を特徴とする記憶システム。
【請求項１２】
請求項１０に記載の記憶システムであって、
前記第２のコントローラは、
前記記憶システムの前記第１の状態の間、前記第３の論理ボリュームの複数の領域を管理すること、
を特徴とする記憶システム。
【請求項１３】
請求項１０に記載の記憶システムであって、
前記第１のコントローラは、
前記記憶システムの前記第１の状態の間、前記第２の論理ボリュームから前記第２の記憶装置に転送されるデータを記憶する、前記第２の論理ボリュームの複数の領域を管理し、
前記第２の論理ボリュームの前記複数の領域は、前記第１の情報処理装置から送信された前記データが前記第１のコントローラにより記憶される、複数の領域を含んで構成されること、
を特徴とする記憶システム。
【請求項１４】
請求項１０に記載の記憶システムであって、
前記第２のコントローラは、
前記記憶システムの前記第１の状態の間、前記副論理ボリュームの前記少なくとも１つのデータに対応する前記データを記憶する、前記第３の論理ボリュームの複数の領域を管理すること、
を特徴とする記憶システム。
【請求項１５】
請求項１０に記載の記憶システムであって、
前記第１の非同期コピー処理の間、前記転送論理ボリュームは、前記主論理ボリュームに記憶されている更新された各データに対応するデータを繰り返し記憶し、前記転送論理ボリュームに記憶されている１つ以上のデータは、前記第２の記憶装置に繰り返し転送されること、
を特徴とする記憶システム。
【請求項１６】
請求項１０に記載の記憶システムであって、
前記ストレージシステムは、
前記第１及び第２の記憶装置の少なくとも一方が、前記第２の情報処理装置から送信される前記少なくとも１つのコマンドを受信すると前記第１の状態から前記第２の状態に変更されること、
を特徴とする記憶システム。
【請求項１７】
請求項１６に記載の記憶システムであって、
前記第２の記憶装置は、
前記少なくとも１つのコマンドに基づいて、前記副論理ボリュームとして機能する前記第４の論理ボリュームを前記主論理ボリュームとして機能する前記第４の論理ボリュームに変更し、前記データ記憶論理ボリュームとして機能する前記第３の論理ボリュームを前記転送論理ボリュームとして機能する前記第３論理ボリュームに変更し、
前記第１の記憶装置は、
前記少なくとも１つのコマンドに基づいて行われる前記第２の記憶装置との通信に基づいて、前記主論理ボリュームとして機能する前記第１の論理ボリュームを前記副論理ボリュームとして機能する前記第１の論理ボリュームに変更し、前記転送論理ボリュームとして機能する前記第２の論理ボリュームを前記データ記憶論理ボリュームとして機能する前記第２の論理ボリュームに変更すること、
を特徴とする記憶システム。
【請求項１８】
複数の第１のディスクドライブの第１の部分が第１の論理領域と対応付けられ、前記複数の第１のディスクドライブの第２の部分が第２の論理領域と対応付けられ、第１の情報処理装置と接続され、第１のコントローラ及び前記複数の第１のディスクドライブを有する第１の記憶装置と、
複数の第２のディスクドライブの第３の部分が第３の論理領域と対応付けられ、前記複数の第２のディスクドライブの第４の部分が第４の論理領域と対応付けられ、前記第１の記憶装置と接続され、第２のコントローラ及び前記複数の第２のディスクドライブを有する第２の記憶装置と、
を備える記憶システムであって、
前記記憶システムは、
前記第１の論理領域が、前記第１の情報処理装置から送信されたデータを記憶する主論理ボリュームとして機能し、
前記第２の論理領域の少なくとも１つの部分が、前記主論理ボリュームに記憶されている更新されたデータに対応し、前記第２の記憶装置に転送されるデータを記憶する転送論理領域として機能し、
前記第３の論理領域の少なくとも１つの部分が、副論理ボリュームの少なくとも１つのデータに対応するデータを記憶するデータ記憶論理領域として機能し、
前記第４の論理領域が、前記主論理ボリュームとペア関係を形成し、前記主論理ボリュームに以前に記憶されたデータに対応するデータを記憶する前記副論理ボリュームとして機能する、
第１の状態に従って第１の非同期リモートコピー処理を実行し、
前記記憶システムは、
前記第４の論理領域が、前記主論理ボリュームとして機能し、
前記第３の論理領域の少なくとも１つの部分が、前記第１の記憶装置に転送されるデータを記憶する前記転送論理領域として機能し、
前記第２の論理領域の少なくとも１つの部分が、前記データ記憶論理領域として機能し、
前記第１の論理領域が、前記副論理ボリュームとして機能する、
第２の状態に従って第２の非同期リモートコピー処理を実行し、
前記記憶システムは、
前記第１及び第２の記憶装置の少なくとも一方が少なくとも１つのコマンドを受信すると前記第１の状態から前記第２の状態に変更されること、
を特徴とする記憶システム。
【請求項１９】
請求項１８に記載の記憶システムであって、
前記第１のコントローラは、
前記記憶システムの前記第１の状態の間、少なくとも１つのポインタを用いて、前記第２の論理領域の前記少なくとも１つの部分から前記第２の記憶装置に転送されるデータを記憶する、前記第２の論理領域の複数の領域を管理すること、
を特徴とする記憶システム。
【請求項２０】
請求項１８に記載の記憶システムであって、
前記第２のコントローラは、
前記記憶システムの前記第１の状態の間、前記第３の論理領域の複数の領域を管理すること、
を特徴とする記憶システム。
【請求項２１】
請求項１８に記載の記憶システムであって、
前記第１のコントローラは、
前記記憶システムの前記第１の状態の間、前記第２の論理領域の前記少なくとも１つの部分から前記第２の記憶装置に転送されるデータを記憶する、前記第２の論理領域の複数の領域を管理し、
前記第２の論理領域の前記複数の領域は、前記第１の情報処理装置から送信された前記データが前記第１のコントローラにより記憶される、複数の領域を含んで構成されること、
を特徴とする記憶システム。
【請求項２２】
請求項１８に記載の記憶システムであって、
前記第２のコントローラは、
前記記憶システムの前記第１の状態の間、前記副論理ボリュームの前記少なくとも１つのデータに対応する前記データを記憶する、前記第３の論理領域の複数の領域を管理すること、
を特徴とする記憶システム。
【請求項２３】
請求項１８に記載の記憶システムであって、
前記第１の非同期コピー処理の間、前記転送論理領域は、前記主論理ボリュームに記憶されている更新された各データに対応するデータを繰り返し記憶し、前記転送論理領域に記憶されている１つ以上のデータは、前記第２の記憶装置に繰り返し転送されること、
を特徴とする記憶システム。
【請求項２４】
複数の第１のディスクドライブの第１の部分が第１の論理領域と対応付けられ、前記複数の第１のディスクドライブの第２の部分が第２の論理領域と対応付けられ、第１の情報処理装置と接続され、第１のコントローラ及び前記複数の第１のディスクドライブを有する第１の記憶装置と、
複数の第２のディスクドライブの第３の部分が第３の論理領域と対応付けられ、前記複数の第２のディスクドライブの第４の部分が第４の論理領域と対応付けられ、第２の情報処理装置及び前記第１の記憶装置と接続され、第２のコントローラ及び前記複数の第２のディスクドライブを有する第２の記憶装置と、
を備える記憶システムであって、
前記記憶システムは、
前記第１の論理領域が、前記第１の情報処理装置から送信されたデータを記憶する主論理ボリュームとして機能し、
前記第２の論理領域の少なくとも１つの部分が、前記主論理ボリュームに記憶されている更新されたデータに対応し、前記第２の記憶装置に転送されるデータを記憶する転送論理領域として機能し、
前記第３の論理領域の少なくとも１つの部分が、副論理ボリュームの少なくとも１つのデータに対応するデータを記憶するデータ記憶論理領域として機能し、
前記第４の論理領域が、前記主論理ボリュームとペア関係を形成し、前記主論理ボリュームに以前に記憶されたデータに対応するデータを記憶する前記副論理ボリュームとして機能する、
第１の状態に従って第１の非同期リモートコピー処理を実行し、
前記記憶システムは、
前記第４の論理領域が、前記第２の情報処理装置から送信されたデータを記憶する、前記主論理ボリュームに対する代用として機能し、
前記第３の論理領域の少なくとも１つの部分が、前記第１の記憶装置に転送されるデータを記憶する、前記転送論理領域に対する代用として機能し、
前記第２の論理領域の少なくとも１つの部分が、前記データ記憶論理領域として機能し、
前記第１の論理領域が、前記副論理ボリュームとして機能する、
第２の状態に従って第２の非同期リモートコピー処理を実行し、
前記記憶システムは、
前記第１の情報処理装置に障害が発生し、かつ／または、前記第１及び第２の記憶装置の少なくとも一方が少なくとも１つのコマンドを受信すると、前記第１の状態から前記第２の状態に変更されること、
を特徴とする記憶システム。
【請求項２５】
請求項２４に記載の記憶システムであって、
前記第１のコントローラは、
前記記憶システムの前記第１の状態の間、少なくとも１つのポインタを用いて、前記第２の論理領域の前記少なくとも１つの部分から前記第２の記憶装置に転送されるデータを記憶する、前記第２の論理領域の複数の領域を管理すること、
を特徴とする記憶システム。
【請求項２６】
請求項２４に記載の記憶システムであって、
前記第２のコントローラは、
前記記憶システムの前記第１の状態の間、前記第３の論理領域の複数の領域を管理すること、
を特徴とする記憶システム。
【請求項２７】
請求項２４に記載の記憶システムであって、
前記第１のコントローラは、
前記記憶システムの前記第１の状態の間、前記第２の論理領域の前記少なくとも１つの部分から前記第２の記憶装置に転送されるデータを記憶する、前記第２の論理領域の複数の領域を管理し、
前記第２の論理領域の前記複数の領域は、前記第１の情報処理装置から送信された前記データが前記第１のコントローラにより記憶される、複数の領域を含んで構成されること、
を特徴とする記憶システム。
【請求項２８】
請求項２４に記載の記憶システムであって、
前記第２のコントローラは、
前記記憶システムの前記第１の状態の間、前記副論理ボリュームの前記少なくとも１つのデータに対応する前記データを記憶する、前記第３の論理領域の複数の領域を管理すること、
を特徴とする記憶システム。
【請求項２９】
請求項２４に記載の記憶システムであって、
前記第１の非同期コピー処理の間、前記転送論理領域は、前記主論理ボリュームに記憶されている更新された各データに対応するデータを繰り返し記憶し、前記転送論理領域に記憶されている１つ以上のデータは、前記第２の記憶装置に繰り返し転送されること、
を特徴とする記憶システム。
【請求項３０】
請求項２４に記載の記憶システムであって、
前記ストレージシステムは、
前記第１及び第２の記憶装置の少なくとも一方が、前記第２の情報処理装置から送信される前記少なくとも１つのコマンドを受信すると前記第１の状態から前記第２の状態に変更されること、
を特徴とする記憶システム。
【請求項３１】
請求項３０に記載の記憶システムであって、
前記第２の記憶装置は、
前記少なくとも１つのコマンドに基づいて、前記副論理ボリュームとして機能する前記第４の論理領域の代わりに、前記主論理ボリュームとして機能する前記第４の論理領域を構築し、前記データ記憶論理領域として機能する前記第３の論理領域の前記少なくとも１つの部分の代わりに、前記転送論理領域として機能する前記第３論理領域の前記少なくとも１つの部分を構築し、
前記第１の記憶装置は、
前記少なくとも１つのコマンドに基づいて行われる前記第２の記憶装置との通信に基づいて、前記主論理ボリュームとして機能する前記第１の論理領域の代わりに、前記副論理ボリュームとして機能する前記第１の論理領域を構築し、前記転送論理領域として機能する前記第２の論理領域の前記少なくとも１つの部分の代わりに、前記データ記憶論理領域として機能する前記第２の論理領域の前記少なくとも１つの部分を構築すること、
を特徴とする記憶システム。
【手続補正２】
【補正対象書類名】明細書
【補正対象項目名】発明の名称
【補正方法】変更
【補正の内容】
【発明の名称】記憶システム
【手続補正３】
【補正対象書類名】明細書
【補正対象項目名】０００１
【補正方法】変更
【補正の内容】
【０００１】
本発明は、記憶システムに関する。
【手続補正４】
【補正対象書類名】明細書
【補正対象項目名】０００５
【補正方法】変更
【補正の内容】
【０００５】
本発明は上記課題を鑑みてなされたものであり、記憶システムを提供することを目的とする。
【手続補正５】
【補正対象書類名】明細書
【補正対象項目名】０００６
【補正方法】変更
【補正の内容】
【０００６】
上記課題を解決するための本発明の主たる発明は、複数の第１のディスクドライブの第１の部分が第１の論理ボリュームと対応付けられ、前記複数の第１のディスクドライブの第２の部分が第２の論理ボリュームと対応付けられ、第１の情報処理装置と接続され、第１のコントローラ及び前記複数の第１のディスクドライブを有する第１の記憶装置と、複数の第２のディスクドライブの第３の部分が第３の論理ボリュームと対応付けられ、前記複数の第２のディスクドライブの第４の部分が第４の論理ボリュームと対応付けられ、前記第１の記憶装置と接続され、第２のコントローラ及び前記複数の第２のディスクドライブを有する第２の記憶装置と、を備える記憶システムであって、前記記憶システムは、前記第１の論理ボリュームが、前記第１の情報処理装置から送信されたデータを記憶する主論理ボリュームとして機能し、前記第２の論理ボリュームが、前記主論理ボリュームに記憶されている更新されたデータに対応し、前記第２の記憶装置に転送されるデータを記憶する転送論理ボリュームとして機能し、前記第３の論理ボリュームが、副論理ボリュームの少なくとも１つのデータに対応するデータを記憶するデータ記憶論理ボリュームとして機能し、前記第４の論理ボリュームが、前記主論理ボリュームとペア関係を形成し、前記主論理ボリュームに以前に記憶されたデータに対応するデータを記憶する前記副論理ボリュームとして機能する、第１の状態に従って第１の非同期リモートコピー処理を実行し、前記記憶システムは、前記第４の論理ボリュームが、前記主論理ボリュームとして機能し、前記第３の論理ボリュームが、前記第１の記憶装置に転送されるデータを記憶する前記転送論理ボリュームとして機能し、前記第２の論理ボリュームが、前記データ記憶論理ボリュームとして機能し、前記第１の論理ボリュームが、前記副論理ボリュームとして機能する、第２の状態に従って第２の非同期リモートコピー処理を実行し、前記記憶システムは、１つ以上のコマンドに基づいて前記第１の状態から前記第２の状態に変更されることとする。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】００１０
【補正方法】変更
【補正の内容】
【００１０】
記憶システムを提供することができる。